【手続補正書】
【提出日】平成20年9月26日(2008.9.26)
【手続補正１】
【補正対象書類名】特許請求の範囲
【補正対象項目名】全文
【補正方法】変更
【補正の内容】
【特許請求の範囲】
【請求項１】
画像形成のために供給される記録材の種類を判別する記録材判別手段と、
前記記録材判別手段によって記録材の種類を判別するための記録材判別閾値の変動量を格納した格納手段と、
前記格納手段に格納されている、前記記録材判別手段により判別された記録材の種類に対応した前記記録材判別閾値の変動量を用いて前記記録材判別閾値を変動させる判別閾値変動手段と、を有し、
前記記録材判別手段は、前記判別閾値変動手段によって変動した前記記録材判別閾値を用いて記録材の種類を判別することを特徴とする画像形成装置。
【請求項２】
更に、発光手段と受光手段とを備え、前記発光手段から発光されて記録材で反射された光、及び、前記発光手段から発光されて記録材を透過した光を前記受光手段により受光して測定する測定手段を有し、
前記記録材判別手段は前記測定手段によって測定した値に基づき記録材の種類を判別することを特徴とする請求項１に記載の画像形成装置。
【請求項３】
前記格納手段に格納された前記記録材判別閾値の変動量は、前記記録材判別手段によって複数の記録材を測定した結果に基づいて設定されることを特徴とする請求項１または２に記載の画像形成装置。
【請求項４】
前記判別閾値変動手段は、画像形成のために供給された記録材の種類の履歴情報に基づき、前記記録材判別閾値を変更することを特徴とする請求項１乃至３のいずれかの項に記載の画像形成装置。
【請求項５】
前記判別閾値変動手段は、画像形成のために供給されている記録材の前記測定手段による測定結果と、画像形成の前に供給された記録材の前記測定手段による測定結果との差が予め定めた値以上である場合に、前記記録材判別閾値を初期値に設定することを特徴とする請求項２乃至４のいずれかの項に記載の画像形成装置。
【請求項６】
前記判別閾値変動手段は、記録材を供給するための給紙手段に搭載されている記録材の枚数に変化が生じた場合に、前記記録材判別閾値を初期値に設定することを特徴とする請求項１乃至４のいずれかの項に記載の画像形成装置。
【請求項７】
更に、記録材を供給するための複数の給紙手段を有し、前記格納手段には、給紙手段ごとに異なる前記記録材判別閾値の変動量を格納することを特徴とする請求項１乃至６のいずれかの項に記載の画像形成装置。
【請求項８】
画像形成のために供給される記録材の種類を判別する記録材判別手段と、
前記記録材判別手段によって記録材の種類を判別するための記録材判別閾値の変動量を格納した格納手段と、
記録材の種類の情報を入力するための入力手段と、
前記格納手段に格納されている、前記入力手段により入力された記録材の種類に対応した前記記録材判別閾値の変動量を用いて前記記録材判別閾値を変動させる判別閾値変動手段と、を有し、
前記記録材判別手段は、前記判別閾値変動手段によって変動した前記記録材判別閾値を用いて記録材の種類を判別することを特徴とする画像形成装置。
【請求項９】
前記判別閾値変動手段は、前記入力手段により入力された記録材の種類の情報と、前記記録材判別手段による判別結果とが異なる場合に、前記記録材判別閾値を変更することを特徴とする請求項８に記載の画像形成装置。
【請求項１０】
更に、発光手段と受光手段とを備え、前記発光手段から発光されて記録材で反射された光、及び、前記発光手段から発光されて記録材を透過した光を前記受光手段により受光して測定する測定手段を有し、
前記記録材判別手段は、前記測定手段によって測定された値に基づき記録材の種類を判別することを特徴とすることを特徴とする請求項８または９に記載の画像形成装置。
【請求項１１】
前記受光素子は、記録材の光照射領域内を映像として読み取るセンサであることを特徴とする請求項１０に記載の画像形成装置。
【手続補正２】
【補正対象書類名】明細書
【補正対象項目名】０００９
【補正方法】変更
【補正の内容】
【０００９】
上記の目的を達成するために本出願人が案出した本発明に係る画像形成装置は、画像形成のために供給される記録材の種類を判別する記録材判別手段と、前記記録材判別手段によって記録材の種類を判別するための記録材判別閾値の変動量を格納した格納手段と、前記格納手段に格納されている、前記記録材判別手段により判別された記録材の種類に対応した前記記録材判別閾値の変動量を用いて前記記録材判別閾値を変動させる判別閾値変動手段と、を有し、前記記録材判別手段は、前記判別閾値変動手段によって変動した前記記録材判別閾値を用いて記録材の種類を判別することを特徴とする。
【手続補正３】
【補正対象書類名】明細書
【補正対象項目名】００１０
【補正方法】変更
【補正の内容】
【００１０】
ここで、発光手段と受光手段とを備え、前記発光手段から発光されて記録材で反射された光、及び、前記発光手段から発光されて記録材を透過した光を前記受光手段により受光して測定する測定手段を更に有し、前記記録材判別手段は前記測定手段によって測定した値に基づき記録材の種類を判別するものであって良い。
【手続補正４】
【補正対象書類名】明細書
【補正対象項目名】００１１
【補正方法】変更
【補正の内容】
【００１１】
また、前記格納手段に格納された前記記録材判別閾値の変動量は、前記記録材判別手段によって複数の記録材を測定した結果に基づいて設定されるものであってよい。
【手続補正５】
【補正対象書類名】明細書
【補正対象項目名】００１２
【補正方法】変更
【補正の内容】
【００１２】
また、前記判別閾値変動手段は、画像形成のために供給された記録材の種類の履歴情報に基づき、前記記録材判別閾値を変更するものであってよい。
【手続補正６】
【補正対象書類名】明細書
【補正対象項目名】００１３
【補正方法】変更
【補正の内容】
【００１３】
また、前記判別閾値変動手段は、画像形成のために供給されている記録材の前記記録材判別手段による測定結果と、画像形成の前に供給された記録材の前記記録材判別手段による測定結果との差が予め定めた値以上である場合に、前記記録材判別閾値を初期値に設定するものであってよい。
【手続補正７】
【補正対象書類名】明細書
【補正対象項目名】００１４
【補正方法】変更
【補正の内容】
【００１４】
また、前記判別閾値変動手段は、記録材を供給するための給紙手段に搭載されている記録材の枚数に変化が生じた場合に、前記記録材判別閾値を初期値に設定するものであってよい。
【手続補正８】
【補正対象書類名】明細書
【補正対象項目名】００１５
【補正方法】変更
【補正の内容】
【００１５】
また、記録材を供給するための複数の給紙手段を更に有し、前記格納手段には、給紙手段ごとに異なる前記記録材判別閾値の変動量を格納するものであってよい。
【手続補正９】
【補正対象書類名】明細書
【補正対象項目名】００１６
【補正方法】変更
【補正の内容】
【００１６】
上記の目的を達成するために本出願人が案出した本発明に係る別の画像形成装置は、画像形成のために供給される記録材の種類を判別する記録材判別手段と、前記記録材判別手段によって記録材の種類を判別するための記録材判別閾値の変動量を格納した格納手段と、記録材の種類の情報を入力するための入力手段と、前記格納手段に格納されている、前記入力手段により入力された記録材の種類に対応した前記記録材判別閾値の変動量を用いて前記記録材判別閾値を変動させる判別閾値変動手段と、を有し、前記記録材判別手段は、前記判別閾値変動手段によって変動した前記記録材判別閾値を用いて記録材の種類を判別することを特徴とする。
【手続補正１０】
【補正対象書類名】明細書
【補正対象項目名】００１７
【補正方法】変更
【補正の内容】
【００１７】
ここで、前記判別閾値変動手段は、前記入力手段により入力された記録材の種類の情報と、前記記録材判別手段による判別結果とが異なる場合に、前記記録材判別閾値を変更するものであってよい。
【手続補正１１】
【補正対象書類名】明細書
【補正対象項目名】００１８
【補正方法】変更
【補正の内容】
【００１８】
また、発光手段と受光手段とを備え、前記発光手段から発光されて記録材で反射された光、及び、前記発光手段から発光されて記録材を透過した光を前記受光手段により受光して測定する測定手段を更に有し、前記記録材判別手段は、前記測定手段によって測定された値に基づき記録材の種類を判別するものであってよい。
【手続補正１２】
【補正対象書類名】明細書
【補正対象項目名】００１９
【補正方法】変更
【補正の内容】
【００１９】
また、前記受光素子は、記録材の光照射領域内を映像として読み取るセンサであってよい。
【手続補正１３】
【補正対象書類名】明細書
【補正対象項目名】００２０
【補正方法】削除
【補正の内容】